(57)【要約】  本開示の一態様に係るユーザ端末は、同期を伴う再構成に関する情報を含むＲＲＣ（Radio  Resource  Control）再構成メッセージを受信する受信部と、前記再構成に関する情報内のランダムアクセス用リソースに関する情報に基づいて、制御リソースセットに関する疑似コロケーションを制御する制御部と、を具備する。これにより、制御リソースセットに関する疑似コロケーションを適切に制御できる。
2020008574.tif 000002
【特許請求の範囲】
【請求項１】
同期を伴う再構成に関する情報を含むＲＲＣ（Radio  Resource  Control）再構成メッセージを受信する受信部と、
前記再構成に関する情報内のランダムアクセス用リソースに関する情報に基づいて、制御リソースセットに関する疑似コロケーションを制御する制御部と、
を具備することを特徴とするユーザ端末。
【請求項２】
前記ランダムアクセス用リソースに関する情報は、各同期信号ブロックのインデックスと各ランダムアクセスプリアンブルのインデックスとを関連付ける情報を含むことを特徴とする請求項１に記載のユーザ端末。
【請求項３】
前記制御部は、前記関連付ける情報によって指定される所定のインデックスの同期信号ブロックに、前記制御リソースセットにおける下り制御チャネルの復調用参照信号のアンテナポートが擬似コロケートされると想定することを特徴とする請求項２に記載のユーザ端末。
【請求項４】
前記ランダムアクセス用リソースに関する情報は、各チャネル状態情報参照信号用リソースのインデックスと各ランダムアクセスプリアンブルのインデックスとを関連付ける情報を含むことを特徴とする請求項１に記載のユーザ端末。
【請求項５】
前記制御部は、前記関連付ける情報によって所定のインデックスのチャネル状態情報参照信号用リソースと擬似コロケーションされる同期信号ブロックに、前記制御リソースセットにおける下り制御チャネルの復調用参照信号のアンテナポートが擬似コロケートされると想定することを特徴とする請求項４に記載のユーザ端末。
【請求項６】
前記制御部は、マスター情報ブロック又はシステム情報ブロック内のインデックスに基づいて、前記制御リソースセットを設定することを特徴とする請求項１から請求項５のいずれかに記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０−１４）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
ＮＲにおける初期アクセスでは、同期信号ブロック（ＳＳＢ：Synchronization  Signal  Block）の検出、ブロードキャストチャネル（ＰＢＣＨ：Physical  Broadcast  Channel、Ｐ−ＢＣＨ等ともいう）によって伝送されるブロードキャスト情報（例えば、マスター情報ブロック（ＭＩＢ：Master  Information  Block））の取得、ランダムアクセスによる接続の確立の少なくとも一つが行われる。【０００５】
ここで、ＳＳＢとは、同期信号（例えば、プライマリ同期信号（ＰＳＳ：Primary  Synchronization  Signal）、セカンダリ同期信号（ＳＳＳ：Primary  Synchronization  Signal））及びＰＢＣＨの少なくとも一つを含む信号ブロックであり、ＳＳ／ＰＢＣＨブロック等とも呼ばれる。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
ＮＲでは、ユーザ端末は、ＳＳＢ（又は当該ＳＳＢのインデックス）に基づいて、ＭＩＢ又はシステム情報ブロック（ＳＩＢ：System  Information  Block）１に基づいて設定（configure）される制御リソースセット（ＣＯＲＥＳＥＴ：Control  Resource  Set）（例えば、ＣＯＲＥＳＥＴ＃０）に関する疑似コロケーション（ＱＣＬ：Quasi-Co-Location）を決定することが検討されている。【０００８】
一方、ユーザ端末の移動等によって、ＳＳＢとＣＯＲＥＳＥＴとのＱＣＬの関係は変化することが想定される。このため、初期アクセスによりアイドル状態（RRC_Idle）からコネクティッド状態（RRC_Connected）に遷移したユーザ端末に対して、当該ＣＯＲＥＳＥＴに関するＱＣＬを変更可能とすることが望まれる。【０００９】
しかしながら、当該ＣＯＲＥＳＥＴに関するＱＣＬを変更しようとすると、当該変更のための新たなシグナリング（例えば、ＲＲＣ（Radio  Resource  Control）シグナリング及びＭＡＣ（Medium  Access  Control）シグナリングの少なくとも一つ）を規定する必要性及びユーザ端末における処理の複雑化の少なくとも一つが生じる恐れがある。【００１０】
本開示はかかる点に鑑みてなされたものであり、ＣＯＲＥＳＥＴに関する疑似コロケーションを適切に制御可能なユーザ端末を提供することを目的の一つとする。
【課題を解決するための手段】
【００１１】
本開示の一態様に係るユーザ端末は、同期を伴う再構成に関する情報を含むＲＲＣ（Radio  Resource  Control）再構成メッセージを受信する受信部と、前記再構成に関する情報内のランダムアクセス用リソースに関する情報に基づいて、制御リソースセットに関する疑似コロケーションを制御する制御部と、を具備することを特徴とする。
【発明の効果】
【００１２】
本開示の一態様によれば、ＣＯＲＥＳＥＴに関する疑似コロケーションを適切に制御できる。
【図面の簡単な説明】
【００１３】
【図１】図１は、ＭＩＢに基づくＣＯＲＥＳＥＴ＃０の設定の一例を示す図である。
【図２】図２は、同期を伴う再構成で用いられるＲＲＣ再構成メッセージの一例を示す図である。
【図３】図３は、第１の態様に係るＣＯＲＳＥＴ＃０のＴＣＩ状態の決定の一例を示す図である。
【図４】図４は、第２の態様に係るＣＯＲＳＥＴ＃０のＴＣＩ状態の決定の一例を示す図である。
【図５】図５は、本実施の形態に係る無線通信システムの概略構成の一例を示す図である。
【図６】図６は、本実施の形態に係る無線基地局の全体構成の一例を示す図である。
【図７】図７は、本実施の形態に係る無線基地局の機能構成の一例を示す図である。
【図８】図８は、本実施の形態に係るユーザ端末の全体構成の一例を示す図である。
【図９】図９は、本実施の形態に係るユーザ端末の機能構成の一例を示す図である。
【図１０】図１０は、本実施の形態に係る無線基地局及びユーザ端末のハードウェア構成の一例を示す図である。
【発明を実施するための形態】
【００１４】
ＮＲにおける初期アクセスでは、同期信号ブロック（ＳＳＢ：Synchronization  Signal  Block）の検出、ブロードキャストチャネル（ＰＢＣＨ：Physical  Broadcast  Channel、Ｐ−ＢＣＨ等ともいう）によって伝送されるブロードキャスト情報（例えば、マスター情報ブロック（ＭＩＢ：Master  Information  Block））の取得、ランダムアクセスによる接続の確立の少なくとも一つが行われる。
【００１５】
具体的には、ユーザ端末は、ＳＳＢを検出し、ＰＢＣＨによって伝送される情報（例えば、ＭＩＢ）に基づいて、システム情報（例えば、ＳＩＢ１：System  Information  Block  1、ＲＭＳＩ：Remaining  Minimum  System  Information）用の制御リソースセット（ＣＯＲＥＳＥＴ：Control  Resource  Set）を決定する。
【００１６】
ＣＯＲＥＳＥＴとは、下り制御チャネル（例えば、ＰＤＣＣＨ：Physical  Downlink  Control  Channel）の割当て候補領域である。「ＳＩＢ１用のＣＯＲＥＳＥＴ」とは、ＳＩＢ１を伝送する下り共有チャネル（例えば、ＰＤＳＣＨ：Physical  Downlink  Shared  Channel）のスケジューリングに用いられるがＰＤＣＣＨ（又はＤＣＩ）が配置されるＣＯＲＥＳＥＴである。「ＳＩＢ１用のＣＯＲＥＳＥＴ」は、ＣＯＲＥＳＥＴ＃０、controlResourceSetZero、共通ＣＯＲＥＳＥＴ（common  CORESET）、共通ＣＯＲＥＳＥＴ＃０、セル固有（cell  specific）のＣＯＲＥＳＥＴ等とも呼ばれる。
【００１７】
ＣＯＲＥＳＥＴ＃０には、一以上のサーチスペースが関連付けられてもよい。当該サーチスペースは、一以上のユーザ端末に共通の（セル固有の）ＤＣＩの監視に用いられるサーチスペース（共通サーチスペース（ＣＳＳ：Common  Search  Space））及びユーザ端末固有のＤＣＩの監視に用いられるサーチスペース（ＵＥ固有サーチスペース（ＵＳＳ：UE  specific  Search  Space））の少なくとも一つを含んでもよい。
【００１８】
例えば、ＣＯＲＥＳＥＴ＃０に関連付けられるサーチスペース（又はサーチスペースのセット）は、以下の少なくとも一つを含んでもよい：
・サーチスペース＃０（searchSpaceZero）、
・ＳＩＢ１用のサーチスペース（タイプ０のＰＤＣＣＨ共通サーチスペース、searchSpaceSIB）、
・ＯＳＩ（Other  System  Information）用のサーチスペース（タイプ０ＡのＰＤＣＣＨ共通サーチスペース、searchSpace-OSI）、
・ページング用のサーチスペース（タイプ２のＰＤＣＣＨ共通サーチスペース、pagingSearchSpace）、
・ランダムアクセス用のサーチスペース（タイプ１のＰＤＣＣＨ共通サーチスペース、ra-SearchSpace）。
【００１９】
ユーザ端末は、ＭＩＢ内のインデックス（pdcch-ConfigSIB1、RMSI-PDCCH-Config等ともいう）に基づいて、ＣＯＲＥＳＥＴ＃０を設定してもよい。
【００２０】
図１は、ＭＩＢに基づくＣＯＲＥＳＥＴ＃０の設定の一例を示す図である。図１に示すように、ＭＩＢには、所定ビット数（例えば、８ビット）のpdcch-ConfigSIB1が含まれてもよい。ユーザ端末は、pdcch-ConfigSIB1の少なくとも一つのビット値に基づいて、ＣＯＲＥＳＥＴ＃０に割り当てられる周波数領域リソース（帯域幅又はリソースブロック（ＲＢ：Resource  Block、ＰＲＢ：Physical  Resource  Block）、ＲＢ数等ともいう）及び時間領域リソース（期間又はシンボル、シンボル数等ともいう）の少なくとも一つを設定（configure）する。
【００２１】
例えば、図１では、ユーザ端末は、pdcch-ConfigSIB1の４ビット（例えば、最上位４ビット（ＭＳＢ：Most  Significant  bit））が示すインデックスに関連付けられるＲＢ数（ＮＣＯＲＥＳＥＴＲＢ）、シンボル数（ＮＣＯＲＥＳＥＴsymb）、ＲＢのオフセット（offset）を、ＣＯＲＥＳＥＴ＃０用に決定してもよい。また、ユーザ端末は、pdcch-ConfigSIB1の残りの４ビット（例えば、最下位４ビット（ＬＳＢ：Least  Significant  bit））に基づいて、サーチスペース＃０を決定してもよい。
【００２２】
なお、図１においてインデックスに関連付けられる値は一例にすぎず、図示するものに限られない。例えば、各値は、最小チャネル帯域幅（minimum  channel  bandwidth）、サブキャリア間隔（subcarrier  spacing）の少なくとも一つに基づいて変更されてもよい。
【００２３】
また、ＣＯＲＥＳＥＴ＃０の帯域幅は、初期アクセス用の帯域幅部分（ＢＷＰ：Bandwidth  Part）（初期（initial）ＢＷＰ等ともいう）の帯域幅と言い換えられてもよい。ここで、ＢＷＰは、キャリア（コンポーネントキャリア（ＣＣ：Component  Carrier）、セル、サービングセル、システム帯域幅）内の部分的な帯域である、ＢＷＰには、上り用のＢＷＰ（上りＢＷＰ）と、下り用のＢＷＰ（下りＢＷＰ）とが含まれてもよい。
【００２４】
例えば、ユーザ端末に対しては、一以上のＢＷＰ（一以上の上りＢＷＰ及び一以上の下りＢＷＰの少なくとも一つ）が設定され、設定されたＢＷＰの少なくとも一つがアクティブ化されてもよい。アクティブ化されているＢＷＰは、アクティブＢＷＰ等とも呼ばれる。
【００２５】
或いは、ユーザ端末は、ＳＩＢ１内のＣＯＲＥＳＥＴ＃０用のパラメータ（controlResourceSetZero等ともいう）に基づいて、ＣＯＲＥＳＥＴ＃０を決定してもよい。当該controlResourceSetZero（例えば、４ビット）は、ＭＩＢ内のpdcch-ConfigSIB1内の対応するビット（例えば、最上位４ビット）と解釈されてもよい。
【００２６】
例えば、ユーザ端末は、図１において、controlResourceSetZeroが示すインデックスに関連付けられるＲＢ数（ＮＣＯＲＥＳＥＴＲＢ）、シンボル数（ＮＣＯＲＥＳＥＴsymb）、ＲＢのオフセット（offset）を、ＣＯＲＥＳＥＴ＃０用に決定してもよい。
【００２７】
なお、ＳＩＢ１内のcontrolResourceSetZeroは、サービングセル毎、下りＢＷＰ毎に設定されてもよい。ユーザ端末は、初期ＢＷＰ（ＢＷＰ＃０）におけるＰＤＣＣＨの設定情報（pdcchConfigCommon）にcontrolResourceSetZeroが含まれたとしても、現在のアクティブＢＷＰに関係なくＣＯＲＥＳＥＴ＃０用のパラメータを取得してもよい。
【００２８】
ユーザ端末は、以上のように、ＭＩＢ又はＳＩＢ１に基づいて設定（configure）されるＣＯＲＥＳＥＴ＃０（又はＣＯＲＥＳＥＴ＃０に関連付けられるサーチスペース）におけるＰＤＣＣＨの復調用参照信号（ＤＭＲＳ：Demodulation  Reference  Signal）のアンテナポートと、検出したＳＳＢとが、擬似コロケーション（ＱＣＬ：Quasi-Co-Location）の関係にあると想定してもよい。
【００２９】
ＱＣＬとは、チャネル及び信号の少なくとも一つ（チャネル／信号）の統計的性質を示す指標である。例えば、ある信号と他の信号がＱＣＬの関係である場合、これらの異なる複数の信号間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００３０】
ＱＣＬに関する情報は、送信構成指示（ＴＣＩ：Transmission  Configuration  Indication又はTransmission  Configuration  Indicator）の状態（ＴＣＩ状態（TCI-state））と呼ばれてもよい。ＴＣＩ状態は、所定の識別子（ＴＣＩ状態ＩＤ（TCI-StateId））によって識別されてもよい。
【００３１】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：ドップラーシフト及び平均遅延及、
・ＱＣＬタイプＤ：空間受信パラメータ。
【００３２】
なお、「複数のチャネル／信号間でＴＣＩ状態が同一又は異なる」とは、「複数のチャネル／信号が異なる又は同一のビーム（又は送受信ポイント（ＴＲＰ：Transmission  and  Reception  Point））を用いて送信又は受信されること」と同義である。ユーザ端末は、ＴＣＩ状態が異なる場合、異なるビーム（ＴＲＰ）からチャネル／信号が送信されると想定できる。また、「ＴＲＰ」は、ネットワーク、無線基地局、アンテナ装置、アンテナパネル、サービングセル、セル、コンポーネントキャリア（ＣＣ）又はキャリア等と、言い換えられてもよい。
【００３３】
以上のように、初期アクセス時にＣＯＲＥＳＥＴ＃０のＴＣＩ状態が決定された後、ＣＯＲＥＳＥＴ＃０のＴＣＩ状態が変更されない場合、通信を適切に行うことができない恐れがある。
【００３４】
例えば、他のＣＯＲＥＳＥＴのＴＣＩ状態が変更される場合に、ＣＯＲＥＳＥＴ＃０のＴＣＩ状態が変更されない場合、当該他のＣＯＲＥＳＥＴ及びＣＯＲＥＳＥＴ＃０を同一の時間領域リソース（例えば、シンボル）に設定できない恐れがある。異なるアナログビームのＰＤＣＣＨをユーザ端末は同時に監視（monitor）することができないためである。
【００３５】
また、ユーザ端末の移動等により、ＣＯＲＥＳＥＴ＃０のＴＣＩ状態が適切でなくなった場合、より適切なＴＣＩ状態（ビーム等）が存在するにもかかわらず、不適切なＴＣＩ状態を用いられることが想定される。この場合、ＣＯＲＥＳＥＴ＃０のＴＣＩ状態が変更されないと、ＣＯＲＥＳＥＴ＃０におけるＰＤＣＣＨに基づく情報（例えば、ＳＩＢ１）を適切に受信できない恐れがある。
【００３６】
同様の問題は、初期アクセス時だけでなく、ハンドオーバや、プライマリセカンダリセル（ＰＳＣｅｌｌ：Primary  Secondary  Cell  Group）を含むセルグループ（セカンダリセルグループ（ＳＣＧ：Secondary  Cell  Group））の追加時に決定されるＣＯＲＥＳＥＴ＃０のＴＣＩ状態についても発生し得る。
【００３７】
そこで、ＣＯＲＥＳＥＴ＃０のＴＣＩ状態が決定された後に、コネクティッド（connected）状態（例えば、ＲＲＣコネクティッド状態）のユーザ端末に対して、ＣＯＲＥＳＥＴ＃０のＴＣＩ状態を変更する種々の方法が検討されている。
【００３８】
しかしながら、当該ＣＯＲＥＳＥＴ＃０のＴＣＩ状態を変更しようとすると、当該変更のための新たなシグナリング（例えば、ＲＲＣシグナリング及びＭＡＣシグナリングの少なくとも一つ）を規定する必要性及びユーザ端末における処理の複雑化の少なくとも一つが生じる恐れがある。
【００３９】
そこで、本発明者らは、同期を伴う再構成（Reconfiguration  with  sync）のシグナリングを利用することにより、ＣＯＲＥＳＥＴ＃０のＴＣＩ状態の変更のための新たなシグナリングを規定せずに、又は、ユーザ端末における処理の複雑化を防止しながら、ＣＯＲＥＳＥＴ＃０のＴＣＩ状態を変更できる点に着目し、本発明に至った。
【００４０】
以下、本実施の形態について、図面を参照して詳細に説明する。
【００４１】
本実施の形態において、「同期を伴う再構成」とは、ＲＲＣの再構成を伴うランダムアクセス手順であってもよく、例えば、ハンドオーバ、ＳＣＧの追加時に行われてもよい。同期を伴う再構成において、ユーザ端末は、同期を伴う再構成用のパラメータ（reconfigurationWithSync）を含むＲＲＣ再構成（RRCReconfiguration）メッセージを受信すると、以下の少なくとも一つの動作を行ってもよい：
・ターゲットの特別セル（SpCell：Special  Cell）のＤＬの同期を開始し、当該特別セルのＭＩＢを取得、
・セルグループのＭＡＣエンティティをリセット、
・reconfigurationWithSync内の特別セルに関する共通設定情報（spCellConfigCommon、ServingCellConfigCommon等ともいう）に従って下位レイヤを設定、
・reconfigurationWithSyncに含まれるランダムアクセスに関する設定情報（rach-ConfigDedicated）に基づくランダムアクセス手順、
・ＲＲＣ再構成メッセージ内のメジャメント用の設定情報（MeasConfig）に基づくメジャメント。
【００４２】
ここで、「特別セル（SpCell）」とは、デュアルコネクティビティ（ＤＣ）では、マスタセルグループ（ＭＣＧ：Master  Cell  Group）内のプライマリセル（ＰＣｅｌｌ：Primary  Cell）又はＳＣＧ内のＰＳＣｅｌｌであり、ＤＣ以外では、ＰＣｅｌｌであってもよい。
【００４３】
図２は、本実施の形態に係るＲＲＣ再構成メッセージの一例を示す図である。図２に示すように、ＲＲＣ再構成メッセージは、セルグループ毎の設定情報（CellGroupConfig）を含んでもよい。セルグループは、上述のＭＣＧ、ＳＣＧを含んでもよい。
【００４４】
セルグループ毎のCellGroupConfigは、特別セルに関する設定情報（SpCellConfig）を含んでもよい。SpCellConfigは、上記reconfigurationWithSyncを含んでもよい。
【００４５】
reconfigurationWithSyncは、上記spCellConfigCommon、ユーザ端末の識別子（例えば、無線ネットワーク一時識別子（ＲＮＴＩ：Radio  Network  Temporary  Identifier）の値）、上りリンク又はＳＵＬ（SupplementaryUplink）におけるランダムアクセスに関する設定情報（rach-ConfigDedicated）の少なくとも一つ等を含んでもよい。
【００４６】
rach-ConfigDedicatedは、ランダムアクセス（例えば、衝突フリーランダムアクセス（ＣＦＲＡ：Contention  Free  Random  Access））用のパラメータ（cfra、CFRA）を含んでもよい。当該rach-ConfigDedicatedが設定されない場合、ユーザ端末は、衝突ベースランダムアクセス（ＣＢＲＡ：Contention  Based  Random  Access）を行ってもよい。
【００４７】
ＣＦＲＡは、ランダムアクセス（例えば、ＣＦＲＡ）用リソースに関する情報（resources）として、一以上のＳＳ／ＰＢＣＨブロック（ＳＳＢ）用のリソース（ＳＳＢリソース）に関する情報（ssb、ssb-ResourceList、CFRA-SSB-Resource等ともいう）、又は、一以上のチャネル状態情報参照信号（ＣＳＩ−ＲＳ：Channel  State  Information-Reference  Signal）用のリソース（ＣＳＩ−ＲＳリソース）に関する情報（csirs、csirs-ResourceList、CFRA-CSIRS-Resource等ともいう）を含んでもよい。
【００４８】
各CFRA-SSB-Resourceは、ＳＳＢのインデックス（ＳＳＢインデックス）と、ランダムアクセス用のプリアンブル（ＲＡプリアンブル）のインデックス（ra-PreambleIndex）とを含んでもよい。
【００４９】
また、各CFRA-CSIRS-Resourceは、ＣＳＩ−ＲＳリソースのインデックス（ＣＳＩ−ＲＳインデックス）と、ＲＡプリアンブルのインデックス（ra-PreambleIndex）とを含んでもよい。
【００５０】
なお、図２に示されるＲＲＣ再構成メッセージの階層構造は、一例にすぎず、これに限られない。
【００５１】
ユーザ端末は、reconfigurationWithSync内のランダムアクセス用リソースに関する情報（例えば、上記CFRA-SSB-Resource又はCFRA-CSIRS-Resource）に基づいて、ＣＯＲＥＳＥＴ＃０のＴＣＩ状態を決定してもよい。
【００５２】
（第１の態様）
第１の態様では、「同期を伴う再構成」においてＲＡプリアンブルがＳＳＢに関連付けられる（associate）場合について説明する。
【００５３】
第１の態様において、ＲＲＣ再構成メッセージ内のreconfigurationWithSyncは、ランダムアクセス用リソースに関する情報として、各ＳＳＢインデックスと各ＲＡプリアンブルのインデックスとを関連付ける情報（上記CFRA-SSB-Resource）を含んでもよい。
【００５４】
第１の態様において、ユーザ端末は、CFRA-SSB-Resourceによって指定される所定のＳＳＢに、ＣＯＲＥＳＥＴ＃０におけるＰＤＣＣＨのＤＭＲＳのアンテナポートが擬似コロケートされると想定してもよい。当該ＤＭＲＳのアンテナポートは、一以上のアンテナポートであってもよく、アンテナポートグループ、ＤＭＲＳポートグループ等と呼ばれてもよい。
【００５５】
図３は、第１の態様に係るＣＯＲＳＥＴ＃０のＴＣＩ状態の決定の一例を示す図である。図３では、ＣＦＲＡ用のリソースに関する情報（resources）内にCFRA-SSB-Resourceが含まれる場合、すなわち、ＲＡプリアンブルがＳＳＢに関連付けられる（associate）場合の一例が示される。
【００５６】
図３に示すように、複数のＳＳＢインデックスそれぞれのＳＳＢは、時間方向において異なるビーム（ＴＣＩ状態又はＳＳＢリソース等ともいう）を用いて送信されてもよい。
【００５７】
図３において、ネットワーク（例えば、基地局、ＴＲＰ又はｇＮＢ（gNodeB）等）は、コネクティッド状態のユーザ端末に対してＣＯＲＥＳＥＴ＃０のＴＣＩ状態を変更させる場合、「同期を伴う再構成」において送信されるＲＲＣ再構成メッセージ内のreconfigurationWithSync内の各CFRA-SSB-Resourceに、各ＲＡプリアンブルのインデックスに関連付けられるＳＳＢインデックスを含めて送信する。
【００５８】
例えば、図３では、ネットワークは、ＳＳＢインデックス＃０〜＃３と、当該ＳＳＢインデックス＃０〜＃３にそれぞれ関連づけられるＲＡプリアンブルのインデックスをそれぞれ含む４つのCFRA-SSB-ResourceをＲＲＣ再構成メッセージ内のreconfigurationWithSyncに含めて送信してもよい。当該ユーザ端末は、ＳＳＢインデックス＃０〜＃３と、当該ＳＳＢインデックス＃０〜＃３にそれぞれ関連づけられるＲＡプリアンブルのインデックスを含む４つのCFRA-SSB-Resourceを受信する。
【００５９】
「同期を伴う再構成」において、当該ユーザ端末は、CFRA-SSB-Resourceで指定される一以上のＳＳＢの中から、所定のＳＳＢを選択（検出）する。例えば、図３では、ユーザ端末は、ＳＳＢ＃０〜＃３の中から受信特性（例えば、受信電力）に基づいてＳＳＢ＃１を選択（検出）してもよい。
【００６０】
当該ユーザ端末は、選択（検出）されたＳＳＢ＃１に関連付けられるＲＡプリアンブル＃１を送信してもよい。ＳＳＢ＃１に関連づけられるＲＡプリアンブル＃１を用いることにより、ネットワークは、当該ＲＡプリアンブル＃１の受信ビームを適切に制御できる。
【００６１】
また、当該ユーザ端末は、検出されたＳＳＢ（ＳＳＢインデックス）に基づいて、ＣＯＲＥＳＥＴ＃０のＴＣＩ状態を想定する。すなわち、当該ユーザ端末は、検出されたＳＳＢ（ＳＳＢインデックス）がＣＯＲＥＳＥＴ＃０（又はＣＯＲＥＳＥＴ＃０に関連付けられるサーチスペース）におけるＰＤＣＣＨのＤＭＲＳのアンテナポートと疑似コロケートすると想定する。当該ＱＣＬは、例えば、平均ゲイン、ＱＣＬタイプＡ、ＱＣＬタイプＤに関してもよい。
【００６２】
すなわち、ユーザ端末は、ＣＯＲＥＳＥＴ＃０のＴＣＩ状態として、検出したＳＳＢ（ＳＳＢインデックス）が、ＣＯＲＥＳＥＴ＃０におけるＰＤＣＣＨのＤＭＲＳのアンテナポートと擬似コロケーションすると想定してもよい。
【００６３】
このように、第１の態様では、「同期を伴う再構成」において、ＲＲＣ再構成メッセージ内のreconfigurationWithSync内のCFRA-SSB-Resourceによって指定されるＳＳＢインデックスが、ＲＡプリアンブルの指定だけでなく、コネクティッド状態のユーザ端末のＣＯＲＥＳＥＴ＃０のＴＣＩ状態の変更にも用いられる。
【００６４】
当該CFRA-SSB-Resourceは、ＣＯＲＥＳＥＴ＃０のＴＣＩ状態の変更以外の他の用途（例えば、ネットワークにおけるＲＡプリアンブルの受信ビームの最適化等）のために「同期を伴う再構成」のシグナリングにすでに規定されている。
【００６５】
したがって、当該CFRA-SSB-Resourceで指定される一以上のＳＳＢの中から検出されたＳＳＢに基づいて、ＣＯＲＥＳＥＴ＃０のＴＣＩ状態を想定することにより、新たなシグナリングを規定せずに、ＣＯＲＥＳＥＴ＃０のＴＣＩ状態を変更できる。また、当該ＣＯＲＥＳＥＴ＃０のＴＣＩ状態の変更に伴うユーザ端末の処理の複雑化を防止できる。
【００６６】
（第２の態様）
第２の態様では、「同期を伴う再構成」においてＲＡプリアンブルがＣＳＩ−ＲＳリソースに関連付けられる場合について説明する。
【００６７】
第１の態様において、ＲＲＣ再構成メッセージ内のreconfigurationWithSyncは、ランダムアクセス用リソースに関する情報として、各ＣＳＩ−ＲＳインデックスと各ＲＡプリアンブルのインデックスとを関連付ける情報（上記CFRA-CSIRS-Resource）を含んでもよい。
【００６８】
第１の態様において、ユーザ端末は、CFRA-CSIRS-Resourceによって指定される所定のＣＳＩ−ＲＳリソースと擬似コロケーションされるＳＳＢに、ＣＯＲＥＳＥＴ＃０におけるＰＤＣＣＨのＤＭＲＳのアンテナポートが擬似コロケートされると想定してもよい。当該ＤＭＲＳのアンテナポートは、一以上のアンテナポートであってもよく、アンテナポートグループ、ＤＭＲＳポートグループ等と呼ばれてもよい。
【００６９】
図４は、第２の態様に係るＣＯＲＳＥＴ＃０のＴＣＩ状態の決定の一例を示す図である。図４では、ＣＦＲＡ用のリソースに関する情報（resources）内にCFRA-CSIRS-Resourceが含まれる場合、すなわち、ＲＡプリアンブルがＣＳＩ−ＲＳに関連付けられる（associate）場合の一例が示される。
【００７０】
図４では、図３と同様に、複数のＳＳＢインデックスそれぞれのＳＳＢは、時間方向において異なるビーム（ＴＣＩ状態又はＳＳＢリソース等ともいう）を用いて送信されてもよい。図４では、図３との相違点を中心に説明する。
【００７１】
図４において、ネットワーク（例えば、基地局、ＴＲＰ又はｇＮＢ等）は、コネクティッド状態のユーザ端末に対してＣＯＲＥＳＥＴ＃０のＴＣＩ状態を変更させる場合、「同期を伴う再構成」において送信されるＲＲＣ再構成メッセージ内のreconfigurationWithSync内の各CFRA-CSIRS-Resourceに、各ＲＡプリアンブルのインデックスに関連付けられるＣＳＩ−ＲＳインデックスを含めて送信する。
【００７２】
例えば、図４では、ネットワークは、ＣＳＩ−ＲＳインデックス＃０〜＃３と、当該ＣＳＩ−ＲＳインデックス＃０〜＃３にそれぞれ関連づけられるＲＡプリアンブルのインデックスをそれぞれ含む４つのCFRA-CSIRS-ResourceをＲＲＣ再構成メッセージ内のreconfigurationWithSyncに含めて送信してもよい。当該ユーザ端末は、ＣＳＩ−ＲＳインデックス＃０〜＃３と、当該ＣＳＩ−ＲＳインデックス＃０〜＃３にそれぞれ関連づけられるＲＡプリアンブルのインデックスを含む４つのCFRA-SSB-Resourceを受信する。
【００７３】
「同期を伴う再構成」において送信されるＲＲＣ再構成メッセージは、メジャメント用の設定情報（MeasConfig）を含んでもよい。MeasConfigは、一以上のＣＳＩ−ＲＳを用いたメジャメント（同周波メジャメント（intra-frequency  measurement）及び異周波メジャメント（inter-frequency  measurement）の少なくとも一つ）に関する情報（MeasObjectNR、ReferenceSignalConfig、CSI-RS-ResourceConfigMobility等ともいう）を含んでもよい。
【００７４】
各CSI-RS-ResourceConfigMobilityは、ＣＳＩ−ＲＳインデックス、ＣＳＩ−ＲＳ（又はＣＳＩ−ＲＳリソース）とＳＳＢ（ＳＳＢインデックス）とを関連付ける情報（associatedSSB）等を含んでもよい。例えば、各CSI-RS-ResourceConfigMobility内のassociatedSSBは、当該ＣＳＩ−ＲＳインデックスに関連付けられるＳＳＢインデックス、当該ＣＳＩ−ＲＳインデックスのＣＳＩ−ＲＳリソースが、当該ＳＳＢインデックスのＳＳＢに空間パラメータで擬似コロケートされるか（QCLed）否かを示す情報（isQuasiColocated）を含んでもよい。
【００７５】
例えば、図４では、４つのCSI-RS-ResourceConfigMobility内のassociatedSSBは、ＣＳＩ−ＲＳリソース＃０〜＃３がそれぞれＳＳＢ＃０〜＃３に関連付けられ、ＣＳＩ−ＲＳリソース＃０〜＃３がそれぞれＳＳＢ＃０〜＃３とＱＣＬされることを示してもよい。
【００７６】
なお、図４では、ＣＳＩ−ＲＳリソース＃０〜＃３が時間領域で多重されるが、これに限られず、周波数領域及び時間領域の少なくとも一つで多重されればよい。
【００７７】
「同期を伴う再構成」において、当該ユーザ端末は、CFRA-CSIRS-Resourceで指定されるＣＳＩ−ＲＳリソースの中から、所定のＣＳＩ−ＲＳリソースを選択（検出）する。例えば、図４では、ユーザ端末は、ＣＳＩ−ＲＳ＃０〜＃３の中から受信特性（例えば、受信電力、ＲＳＲＰ（Reference  Signal  Received  Power））に基づいてＣＳＩ−ＲＳリソース＃１を選択（検出）する。
【００７８】
当該ユーザ端末は、上記associatedSSBに基づいて、選択（検出）されたＣＳＩ−ＲＳリソース＃１とＱＣＬの関係にあるＳＳＢ＃１を決定する。ユーザ端末は、上記CFRA-CSIRS-Resourceに基づいて、当該ＣＳＩ−ＲＳインデックス＃１に関連付けられるＲＡプリアンブル＃１を送信してもよい。ＣＳＩ−ＲＳリソース＃１に関連づけられるＲＡプリアンブル＃１を用いることにより、ネットワークは、当該ＲＡプリアンブル＃１の受信ビームを適切に制御できる。
【００７９】
また、当該ユーザ端末は、ＣＳＩ−ＲＳリソース＃１に関連付けられるＳＳＢ（ＳＳＢインデックス）に基づいて、ＣＯＲＥＳＥＴ＃０のＴＣＩ状態を想定する。すなわち、当該ユーザ端末は、ＣＳＩ−ＲＳリソース＃１に関連付けられるＳＳＢ（ＳＳＢインデックス）がＣＯＲＥＳＥＴ＃０（又はＣＯＲＥＳＥＴ＃０に関連付けられるサーチスペース）におけるＰＤＣＣＨのＤＭＲＳのアンテナポートと疑似コロケートすると想定する。当該ＱＣＬは、例えば、平均ゲイン、ＱＣＬタイプＡ、ＱＣＬタイプＤに関してもよい。
【００８０】
すなわち、ユーザ端末は、ＣＯＲＥＳＥＴ＃０のＴＣＩ状態として、ＣＳＩ−ＲＳリソース＃１が、ＣＯＲＥＳＥＴ＃０におけるＰＤＣＣＨのＤＭＲＳのアンテナポートと擬似コロケーションすると想定してもよい。
【００８１】
このように、第２の態様では、「同期を伴う再構成」において、ＲＲＣ再構成メッセージ内のreconfigurationWithSync内のCFRA-CSIRS-Resourceによって指定されるＣＳＩ−ＲＳインデックスが、ＲＡプリアンブルの指定だけでなく、コネクティッド状態のユーザ端末のＣＯＲＥＳＥＴ＃０のＴＣＩ状態の変更にも用いられる。
【００８２】
当該CFRA-CSIRS-Resourceは、ＣＯＲＥＳＥＴ＃０のＴＣＩ状態の変更以外の他の用途（例えば、ネットワークにおけるＲＡプリアンブルの受信ビームの最適化等）のために「同期を伴う再構成」のシグナリングにすでに規定されている。また、CFRA-CSIRS-Resourceによって指定されるＣＳＩ−ＲＳリソースとＱＣＬの関係にあるＳＳＢを示す上記associatedSSBも、ＣＯＲＥＳＥＴ＃０のＴＣＩ状態の変更以外の他の用途（例えば、ＣＳＩ−ＲＳベースのメジャメント等）のために「同期を伴う再構成」のシグナリングにすでに規定されている。
【００８３】
したがって、当該CFRA-CSIRS-Resourceで指定される一以上のＣＳＩ−ＲＳリソースの中からＣＳＩ−ＲＳリソースを選択し、当該ＣＳＩ−ＲＳリソースとＱＣＬの関係にあるＳＳＢに基づいて、ＣＯＲＥＳＥＴ＃０のＴＣＩ状態を想定することにより、新たなシグナリングを規定せずに、ＣＯＲＥＳＥＴ＃０のＴＣＩ状態を変更できる。また、当該ＣＯＲＥＳＥＴ＃０のＴＣＩ状態の変更に伴うユーザ端末の処理の複雑化を防止できる。
【００８４】
（無線通信システム）
以下、本実施の形態に係る無線通信システムの構成について説明する。この無線通信システムでは、本開示の上記各実施形態に係る無線通信方法のいずれか又はこれらの組み合わせを用いて通信が行われる。
【００８５】
図５は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００８６】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００８７】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００８８】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００８９】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００９０】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００９１】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【００９２】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００９３】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００９４】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９５】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００９６】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００９７】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００９８】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００９９】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１００】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１０１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１０２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１０３】
＜無線基地局＞
図６は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１０４】
下りリンクによって無線基地局１０からユーザ端末２０に送信されるユーザデータは、上位局装置３０から伝送路インターフェース１０６を介してベースバンド信号処理部１０４に入力される。
【０１０５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１０６】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１０７】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１０８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１０９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１１０】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成してもよい。また、送受信アンテナ１０１は、例えばアレーアンテナによって構成してもよい。
【０１１１】
図７は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０１１２】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１１３】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１１４】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１１５】
制御部３０１は、システム情報、下りデータ信号（例えば、ＰＤＳＣＨで送信される信号）、下り制御信号（例えば、ＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１１６】
制御部３０１は、同期信号（例えば、ＰＳＳ（Primary  Synchronization  Signal）／ＳＳＳ（Secondary  Synchronization  Signal））、ＳＳＢ、下り参照信号（例えば、ＣＲＳ、ＣＳＩ−ＲＳ、ＤＭＲＳ）などのスケジューリングの制御を行う。
【０１１７】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１１８】
制御部３０１は、ベースバンド信号処理部１０４におけるデジタルＢＦ（例えば、プリコーディング）及び／又は送受信部１０３におけるアナログＢＦ（例えば、位相回転）を用いて、送信ビーム及び／又は受信ビームを形成する制御を行ってもよい。制御部３０１は、下り伝搬路情報、上り伝搬路情報などに基づいて、ビームを形成する制御を行ってもよい。これらの伝搬路情報は、受信信号処理部３０４及び／又は測定部３０５から取得されてもよい。
【０１１９】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１２０】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１２１】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１２２】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１２３】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１２４】
測定部３０５は、受信した信号に関する測定を実施する。測定部３０５は、本開示に係る技術分野での共通認識に基づいて説明される測定器、測定回路又は測定装置から構成することができる。
【０１２５】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１２６】
なお、送受信部１０３は、同期を伴う再構成に関する情報を含むＲＲＣ（Radio  Resource  Control）再構成メッセージを送信する。前記ランダムアクセス用リソースに関する情報は、各同期信号ブロックのインデックスと各ランダムアクセスプリアンブルのインデックスとを関連付ける情報を含んでもよい。前記ランダムアクセス用リソースに関する情報は、各チャネル状態情報参照信号用リソースのインデックスと各ランダムアクセスプリアンブルのインデックスとを関連付ける情報を含んでもよい。
【０１２７】
また、送受信部１０３は、マスター情報ブロック又はシステム情報ブロック（例えば、ＳＩＢ１）の少なくとも一つを送信してもよい。制御部３０１は、制御リソースセットの設定を制御してもよい。
【０１２８】
＜ユーザ端末＞
図８は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１２９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１３０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１３１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１３２】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１３３】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成してもよい。また、送受信アンテナ２０１は、例えばアレーアンテナによって構成してもよい。
【０１３４】
図９は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１３５】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１３６】
制御部４０１は、ユーザ端末２０全体の制御を実施する。制御部４０１は、本開示に係る技術分野での共通認識に基づいて説明されるコントローラ、制御回路又は制御装置から構成することができる。
【０１３７】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１３８】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１３９】
制御部４０１は、ベースバンド信号処理部２０４におけるデジタルＢＦ（例えば、プリコーディング）及び／又は送受信部２０３におけるアナログＢＦ（例えば、位相回転）を用いて、送信ビーム及び／又は受信ビームを形成する制御を行ってもよい。制御部４０１は、下り伝搬路情報、上り伝搬路情報などに基づいて、ビームを形成する制御を行ってもよい。これらの伝搬路情報は、受信信号処理部４０４及び／又は測定部４０５から取得されてもよい。
【０１４０】
また、制御部４０１は、無線基地局１０から通知された各種情報を受信信号処理部４０４から取得した場合、当該情報に基づいて制御に用いるパラメータを更新してもよい。
【０１４１】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１４２】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１４３】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１４４】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１４５】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１４６】
測定部４０５は、受信した信号に関する測定を実施する。例えば、測定部４０５は、第１のキャリア及び第２のキャリアの一方又は両方について、同周波測定及び／又は異周波測定を行ってもよい。測定部４０５は、第１のキャリアにサービングセルが含まれる場合に、受信信号処理部４０４から取得した測定指示に基づいて第２のキャリアにおける異周波測定を行ってもよい。測定部４０５は、本開示に係る技術分野での共通認識に基づいて説明される測定器、測定回路又は測定装置から構成することができる。
【０１４７】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１４８】
なお、送受信部２０３は、同期を伴う再構成に関する情報を含むＲＲＣ（Radio  Resource  Control）再構成メッセージを受信する。前記ランダムアクセス用リソースに関する情報は、各同期信号ブロックのインデックスと各ランダムアクセスプリアンブルのインデックスとを関連付ける情報を含んでもよい。前記ランダムアクセス用リソースに関する情報は、各チャネル状態情報参照信号用リソースのインデックスと各ランダムアクセスプリアンブルのインデックスとを関連付ける情報を含んでもよい。
【０１４９】
また、送受信部２０３は、マスター情報ブロック又はシステム情報ブロック（例えば、ＳＩＢ１）の少なくとも一つを受信してもよい。
【０１５０】
制御部４０１は、前記再構成に関する情報内のランダムアクセス用リソースに関する情報に基づいて、制御リソースセットに関する疑似コロケーションを制御してもよい。
【０１５１】
具体的には、制御部４０１は、各同期信号ブロックのインデックスと各ランダムアクセスプリアンブルのインデックスとを関連付ける情報によって指定される所定のインデックスの同期信号ブロックに、前記制御リソースセットにおける下り制御チャネルの復調用参照信号のアンテナポートが擬似コロケートされると想定してもよい（第１の態様）。
【０１５２】
また、制御部４０１は、各チャネル状態情報参照信号用リソースのインデックスと各ランダムアクセスプリアンブルのインデックスとを関連付ける情報によって指定される所定のインデックスのチャネル状態情報参照信号用リソースと擬似コロケーションされる同期信号ブロックに、前記制御リソースセットにおける下り制御チャネルの復調用参照信号のアンテナポートが擬似コロケートされると想定してもよい（第２の態様）。
【０１５３】
また、制御部４０１は、マスター情報ブロック又はシステム情報ブロック内のインデックスに基づいて、前記制御リソースセットを設定してもよい。
【０１５４】
＜ハードウェア構成＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。
【０１５５】
例えば、本開示の一実施形態における無線基地局、ユーザ端末などは、本開示の無線通信方法の処理を行うコンピュータとして機能してもよい。図１０は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１５６】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１５７】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１５８】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１５９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１６０】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１６１】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１６２】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１６３】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１６４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１６５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１６６】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１６７】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１６８】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１６９】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１７０】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１７１】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１７２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１７３】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１７４】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１７５】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１７６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１７７】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１７８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１７９】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１８０】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１８１】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１８２】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１８３】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１８４】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１８５】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１８６】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１８７】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１８８】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１８９】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９０】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１９１】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１９２】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスター情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１９３】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１９４】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１９５】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１９６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１９７】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１９８】
本開示において使用する「システム」及び「ネットワーク」という用語は、互換的に使用され得る。
【０１９９】
本開示において、「プリコーディング」、「プリコーダ」、「ウェイト（プリコーディングウェイト）」、「送信電力」、「位相回転」、「アンテナポート」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２００】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２０１】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２０２】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２０３】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０４】
基地局及び移動局の少なくとも一方は、送信装置、受信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。
【０２０５】
また、本開示における無線基地局は、ユーザ端末で読み替えてもよい。例えば、無線基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の無線基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２０６】
同様に、本開示におけるユーザ端末は、無線基地局で読み替えてもよい。この場合、上述のユーザ端末２０が有する機能を無線基地局１０が有する構成としてもよい。
【０２０７】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２０８】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２０９】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２１０】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１１】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２１２】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。
【０２１３】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２１４】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１５】
また、「判断（決定）」は、「想定する（assuming）」、「期待する（expecting）」、「みなす（considering）」などで読み替えられてもよい。
【０２１６】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２１７】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２１８】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２１９】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２２０】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２２１】
本開示において、例えば、英語でのa,  an及びtheのように、翻訳によって冠詞が追加された場合、本開示は、これらの冠詞の後に続く名詞が複数形であることを含んでもよい。
【０２２２】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020008574.tif 000003
【図２】
2020008574.tif 000004
【図３】
2020008574.tif 000005
【図４】
2020008574.tif 000006
【図５】
2020008574.tif 000007
【図６】
2020008574.tif 000008
【図７】
2020008574.tif 000009
【図８】
2020008574.tif 000010
【図９】
2020008574.tif 000011
【図１０】
2020008574.tif 000012
【国際調査報告】
2020008574.tif 000013
2020008574.tif 000014
2020008574.tif 000015
2020008574.tif 000016